(57)【特許請求の範囲】
【請求項１】
上下に配置された複数の貯蔵室を有し、これらの貯蔵室のうちの最上部の貯蔵室内の最上部に引き出し可能に設置された食品収納ケースを備えた冷蔵庫において、
前記食品収納ケースを前方に引き出した状態で搖動ダンパーを介して当該食品収納ケースの前側が低くなるように回動可能に両側で支持した
ことを特徴とする冷蔵庫。
【請求項２】
請求項１において、前記最上部の貯蔵室内の最上段の棚の上に前記食品収納ケースを引き出し可能に載置し、前記食品収納ケースを最も前方に引き出した状態で前記搖動ダンパーが回動するようにしたことを特徴とする冷蔵庫。
【請求項３】
請求項２において、前記搖動ダンパーは、回動軸と、この回動軸を回転可能に嵌合する軸受体と、前記回動軸と前記軸受体との摺動部に充填されたシリコーンオイルとからなることを特徴とする冷蔵庫。
【請求項４】
請求項３において、前記回動軸または前記軸受体が前記食品収納ケースに固定され、前記軸受体または前記回動軸が前記貯蔵室の両側面に設置されたレールに前後水平方向に移動可能に支持され、このレールに支持された前記軸受体または前記回動軸は前記食品収納ケースが最も前方に引き出された状態で回動される際に当該食品収納ケースと共に回動されないように平坦面を有して当該レールに支持されていることを特徴とする冷蔵庫。
【請求項５】
請求項４において、前記食品収納ケースが最も前方に引き出された状態で回動される際に当該食品収納ケースの回動範囲を制限するストッパーを前記貯蔵室の両側面に設置したことを特徴とする冷蔵庫。
【請求項６】
請求項１から５の何れかにおいて、前記食品収納ケースの内部に左右方向または前後方向に延びる仕切りを備え、前記仕切りの左右前後位置が任意に変更可能であることを特徴とする冷蔵庫。
【請求項７】
請求項１から５の何れかにおいて、前記食品収納ケースの内壁の一部若しくは全部に緩衝材を設けたことを特徴とする冷蔵庫。
【請求項８】
請求項１から５の何れかにおいて、前記食品収納ケースの内壁の一部若しくは全部に滑り止めを設けたことを特徴とする冷蔵庫。
【請求項９】
請求項１から５の何れかにおいて、前記食品収納ケースの底面に、傾斜したとき水平になるような傾斜部が１段以上設けられたことを特徴とする冷蔵庫。
【請求項１０】
請求項１から５の何れかにおいて、前記食品収納ケースの側壁面において、手前側を低くしたことを特徴とする冷蔵庫。
【発明の詳細な説明】
【技術分野】
【０００１】
本発明は、冷蔵庫に係り、特に最上部の貯蔵室の最上部に引き出し可能に設置された食品収納ケースを備えた冷蔵庫に好適なものである。
【背景技術】
【０００２】
近年、冷蔵庫の高さをできるだけ高くすると共に冷蔵庫の奥行きを増大して、冷蔵庫内の収納スペースを増大した大型の冷蔵庫を購入する家庭が増加している。しかし、大型の冷蔵庫では、最上部の貯蔵室内の最上部に収納した食品を取り出す作業やその最上部の奥の部分の清掃がしづらいものとなっている。
【０００３】
そこで、例えば特開２００４−３０１３５６号公報（特許文献１）や特開平１０−１８５４２０号公報（特許文献２）に示すように、棚容器または収納ケースが使用者の目線まで降りてくるようにして、最上部の貯蔵室内の最上部に収納した食品を取り出す作業や奥の部分の清掃を容易にした冷蔵庫が案出されている。
【０００４】
前記特許文献１の冷蔵庫では、室内上下方向に複数段の棚空間を設けた収納室と、前記棚空間の少なくとも一段部の収納部側壁に設けられ水平部およびその前部に前方への下方傾斜部を前後に平行して形成したガイドレールと、このガイドレールに係合してレール内を移動する滑車を両側の前後に取り付け滑車の回転により前後および上下傾斜移動可能に設けた棚容器と、この棚容器と収納室背面との間に設けた押し出し装置、および引き上げ装置とからなる。そして、動作指示により押し出し装置で棚容器を前方に水平に押し出すとともに前後の滑車をそれぞれガイドレール前後の傾斜部に係合させて下方移動させ、格納指示により引き上げ装置を駆動して棚容器を前記ガイドレールの後方所定位置に引き上げるようにしている。
【０００５】
また、前記特許文献２の冷蔵庫では、庫内に出し入れ自在に支持された収納棚と、同収納棚上方の庫内一側壁前方に取付けられ、内側に案内ローラを備えた支持具と、前記収納棚上に載置され、前記支持具を挿入する挿入孔と、同挿入孔に連設し前記案内ローラに対応するガイドレールを備え、外周に略逆Ｌ字状のフランジ部を有する収納ケースとからなっている。そして、前記収納ケースのガイドレールを前記フランジ部の前後に延伸する長孔で形成し、前記案内ローラに摺動自在に支持され、前記収納ケースを前記庫内の前後にスライド可能にしている。
【０００６】
【特許文献１】特開２００４−３０１３５６号公報
【特許文献２】特開平１０−１８５４２０号公報
【発明の開示】
【発明が解決しようとする課題】
【０００７】
しかし、前記特許文献１では、棚容器が目線の高さまで降りてくるので、汚れを掃除するには有効であるが、棚容器の動作機構部が複雑であると共に、その部分がデットスペースとなってしまい、食品の収納スペースの増大を招く結果となっていた。
【０００８】
また、前記特許文献２のように、冷蔵室最上段に備えた収納ケースが水平に引き出された後、下方に傾斜する構造では、動作機構部が簡単でその容積をとらず、収納スペースの減少をなくすことができるが、収納ケースを引き出した際に手が外れた場合、収納ケースの急激な下降により内容物の飛散や落下による収納ケースの破損のおそれがあった。また、収納ケースを片側のみで支持する構造であるため、強度的な信頼性に課題があった。
【０００９】
本発明の目的は、信頼性が高く簡単な構成で収納スペースの減少を招くことなく、食品を取り出す作業や奥の部分の清掃を容易に行うことができる冷蔵庫を提供することにある。
【課題を解決するための手段】
【００１０】
前述の目的を達成するために、本発明は、上下に配置された複数の貯蔵室を有し、これらの貯蔵室のうちの最上部の貯蔵室内の最上部に引き出し可能に設置された食品収納ケースを備えた冷蔵庫において、前記食品収納ケースを前方に引き出した状態で搖動ダンパーを介して当該食品収納ケースの前側が低くなるように回動可能に両側で支持したことにある。
【００１１】
係る本発明のより好ましい具体的な構成例は次の通りである。
（１）前記最上部の貯蔵室内の最上段の棚の上に前記食品収納ケースを引き出し可能に載置し、前記食品収納ケースを最も前方に引き出した状態で前記搖動ダンパーが回動するようにしたこと。
（２）前記搖動ダンパーは、回動軸と、この回動軸を回転可能に嵌合する軸受体と、前記回動軸と前記軸受体との摺動部に充填されたシリコーンオイルとからなること。
（３）前記回動軸または前記軸受体が前記食品収納ケースに固定され、前記軸受体または前記回動軸が前記貯蔵室の両側面に設置されたレールに前後水平方向に移動可能に支持され、このレールに支持された前記軸受体または前記回動軸は前記食品収納ケースが最も前方に引き出された状態で回動される際に当該食品収納ケースと共に回動されないように平坦面を有して当該レールに支持されていること。
（４）前記食品収納ケースが最も前方に引き出された状態で回動される際に当該食品収納ケースの回動範囲を制限するストッパーを前記貯蔵室の両側面に設置したこと。
（５）前記食品収納ケースの内部に左右方向または前後方向に延びる仕切りを備え、前記仕切りの左右前後位置が任意に変更可能であること。
（６）前記食品収納ケースの内壁の一部若しくは全部に緩衝材を設けたこと。
（７）前記食品収納ケースの内壁の一部若しくは全部に滑り止めを設けたこと。
（８）前記食品収納ケースの底面に、傾斜したとき水平になるような傾斜部が１段以上設けられたこと。
（９）前記食品収納ケースの側壁面において、手前側を低くしたこと。
【発明の効果】
【００１２】
係る構成の本発明の冷蔵庫によれば、信頼性が高く簡単な構成で収納スペースの減少を招くことなく、食品を取り出す作業や奥の部分の清掃を容易に行うことができる。
【発明を実施するための最良の形態】
【００１３】
以下、本発明の一実施形態の冷蔵庫について、図面を参照しながら説明する。
【００１４】
まず、本実施形態の冷蔵庫の全体に関して図１及び図２を参照しながら説明する。図１は本発明の一実施形態の冷蔵庫の正面図、図２は図１のＡ−Ａ断面図である。
【００１５】
冷蔵庫は、冷蔵庫本体１及び扉２１〜２４を備えて構成されている。冷蔵庫本体１は、鋼板製の外箱と樹脂製の内箱との間にウレタン発泡断熱材１１及び真空断熱材（図示せず）を有して構成され、上から冷蔵室３、うるおい保湿冷凍室１２、冷凍室２、野菜室４の順に複数の貯蔵室を有している。換言すれば、最上部に冷蔵室３が、最下部に野菜室４が、それぞれ区画して配置されており、冷蔵室３と野菜室４との間には、これらの両室と断熱的に仕切られた、うるおい保湿冷凍室１２、冷凍室２が配設されている。冷蔵室３の内部には、肉、魚などを保有するためのチルド室５が備えられている。
【００１６】
冷蔵庫本体１の前面には、冷蔵室３、うるおい保湿冷凍室１２、冷凍室２、野菜室４の前面開口部を閉塞する扉２１〜２４が設けられている。冷蔵室扉２１は冷蔵室３の前面開口部を閉塞する扉、うるおい保湿冷凍室扉２２はうるおい保湿冷凍室１２の前面開口部を閉鎖する扉、冷凍室扉２３は冷凍室２の前面開口部を閉塞する扉、野菜室扉２４は野菜室４の前面開口部を閉塞する扉である。冷蔵室扉２１は観音開き式の両開きの扉で構成されている。うるおい保湿冷凍室扉２２、冷凍室扉２３、野菜室扉２４５は引き出し式の扉によって構成され、引き出し扉とともに貯蔵室内の容器が引き出される。
【００１７】
冷蔵庫本体１には、冷凍サイクルが設置されている。この冷凍サイクルは、圧縮機９、凝縮器（図示せず）、キャピラリチューブ（図示せず）及び冷却用熱交換器６、そして再び圧縮機９の順に接続して構成されている。圧縮機９及び凝縮器は冷蔵庫本体１の背面下部に設けられた機械室に設置されている。冷却用熱交換器６は冷凍室３、４の後方に設けられた冷却器室に設置され、この冷却器室における冷却用熱交換器６の上方にファン７が設置されている。冷却用熱交換器６の直下には、冷却用熱交換器６に付いた霜を定期的に溶かす除霜用管ヒータ１０が設置されている。
【００１８】
冷却用熱交換器６によって冷却された冷気は、ファン７によって冷蔵室３、うるおい保湿冷凍室１２、冷凍室２及び野菜室４の各貯蔵室へと送られる。具体的には、ファン７によって送られる冷気は、開閉可能な温度調節用ダンパー８を介して、その一部が冷蔵室３及び野菜室４の冷蔵温度帯の貯蔵室へと送られ、他の一部がうるおい保湿冷凍室１２、冷凍室２の冷凍温度帯の貯蔵室へと送られる。ファン７によって冷蔵室３、うるおい保湿冷凍室１２、冷凍室２及び野菜室４の各貯蔵室へと送られる冷気は、各貯蔵室を冷却した後、冷気戻り通路を通って冷却用熱交換器６へと戻される。
【００１９】
このように、本実施形態の冷蔵庫は冷気の循環構造を有しており、各貯蔵室を適切な温度に保持する。例えば、冷凍室２は−１８℃に、冷蔵室３は３〜５℃に、野菜室４は３〜５℃に、チルド室は０〜１℃に保持される。なお、チルド室５、うるおい保湿冷凍室１２、野菜室４は、それぞれ引き出し容器１３にて形成され、上面開口部が蓋１４により覆われている。従って、チルド室５、うるおい保湿冷凍室１２、野菜室４に貯蔵された食品は、冷却用熱交換器により冷却された冷気で直接冷却されることがなく、引き出し容器１３及び蓋１４を介して間接的に冷却される。
【００２０】
次に、図３から図６を参照しながら、冷蔵室２に備えられた食品収納ケース１５に関して説明する。図３は図２における食品収納ケース１５の動作を説明する図、図４は図２の揺動ダンパー部の断面図、図５は図４のＢ−Ｂ断面図、図６は図３の食品収納ケース１５の回動範囲を説明する図である。なお、図３では各扉を省略してある。
【００２１】
食品収納ケース１５は、容器もしくは棚もしくは網状の入れ物などで構成され、冷蔵室２の内部の最上段の棚１８の上に引き出し可能に載置されている。この食品収納ケース１５は引き出していないときは水平で配置させるように設置されている。これは、食品収納ケース１５が冷蔵室３の上部に配置されている為、食品収納ケース１５の下には食品等が貯蔵されている。このため、食品収納ケース１５が引き出していないとき傾いて配置すると、水平よりはみ出した食品収納ケース１５により食品収納ケース１５の下方の部分の収納量が減少してしまうためである。そして、食品収納ケース１５は、最も前方に引き出した状態で、搖動ダンパー１６を介して前側が低くなるように回動可能に両側で支持されている。
【００２２】
搖動ダンパー１６は食品収納ケース１５の両側面の後部に設けられている。搖動ダンパー１６は食品収納ケース１５の両側面から突出され、その突出された部分がレール１７に水平方向に摺動可能に支持されている。具体的には、搖動ダンパー１６は、一側が食品収納ケース１５に固定された回動軸１６ａと、この回動軸１６ａの他側を回転可能に嵌合する軸受体１６ｂと、回動軸１６ａと軸受体１６ｂとの摺動部に充填されたシリコーンオイル（図示せず）とからなっている。搖動ダンパー１６の可動トルクはシリコーンオイルの摩擦力により決定される。なお、設置するダンパー１６の加重（摩擦力）は、食品収納ケース１５の底面積と食品収納ケース１５の底面から天井までの高さの積で表される見かけ体積を水に換算したときの重量に対応できる加重が好ましい。
【００２３】
回動軸１６ａは、一側が食品収納ケース１５に埋設されて固定され、他側が円周面を有して食品収納ケース１５から突出されている。なお、回動軸１６ａは食品収納ケース１５と同一部材で形成されていてもよい。
【００２４】
軸受体１６ｂは、回動軸１６ａを嵌合する軸受部１６ｂ１と、この軸受部１６ｂ１の周囲に設けられてレール１７に係合される係合部１６ｂ２とからなっている。係合部１６ｂ２は、上下に平坦面を有してレール１７に挟持されている。回動軸１６ａと軸受部１６ｂ１とが逆であってもダンパー機能を奏することができる。なお、軸受部１６ｂ１と係合部１６ｂ２とは同一部材で形成されていてもよい。
【００２５】
レール１７は、食品収納ケース１５を水平に前後方向へ案内するものである。レール１７を前後方向に傾斜して引き出すようにすると、食品収納ケース１５の下方に収納された食品が、食品収納ケース１５を前後方向に移動する際に食品収納ケース１５にぶつかって倒れることを防ぐためである。レール１７は、図４に示すように断面コ字状に形成され、冷蔵室２の両側面に水平に設置されている。レール１７は、図５に示すように、食品収納ケース１５が最も前方に引き出された状態を特定する係止部１７ａを有している。食品収納ケース１５を手前に引き出すと、これと共に搖動ダンパー１６も手前に移動され、この搖動ダンパー１６が係止部１７ａに当接することにより、搖動ダンパー１６及び食品収納ケース１５の移動が制限され、図３の点線に示すように食品収納ケース１５が最も前方に引き出された状態となる。
【００２６】
食品収納ケース１５が最も前方に引き出されると、食品収納ケース１５の自重より食品収納ケース１５の前側が搖動ダンパー１６を回動支点として下方に低く傾斜する。即ち、搖動ダンパー１６の軸受体１６ｂが平坦面を有してレール１７に挟持されているので、搖動ダンパー１６の回動軸１６ａが食品収納ケース１５と共に回動しても、軸受体１６ｂがレール１７により回動が制限され、シリコーンオイルの摩擦力によって搖動ダンパー１６が機能して食品収納ケース１５が傾斜される。搖動ダンパー１６が機能することにより、食品収納ケース１５がゆっくりと安全に傾斜することとなる。なお、このときの傾斜動作において、食品収納ケース１５に食品が無い空の状態の場合は、ダンパー１６により、食品収納ケース１５の自重では非常に低速で傾くため、容器に手をかけて下方へ傾斜させてもよい。
【００２７】
そして、最上段の棚１８の前方下方に位置する冷蔵室２の両側面には、食品収納ケース１５の回動範囲を制限するストッパー１９が設置されているので、食品収納ケース１５はストッパー１９に当接するまで回動して所定の傾斜角度で停止される。この停止状態で、食品収納ケース１５はストッパー１９によりその加重を支えられるので、安全に食品収納ケース１５を支持することができる。
【００２８】
食品収納ケース１５を引き出して傾斜させた際の食品収納ケースの前面上端の高さは日本の女性の平均身長１５７ｃｍより若干低い１５５ｃｍ以下に設定してある。これは冷蔵庫を使用する人が主婦が多いことから算出した値である。これによって、使い易く、最上段の底面が良く見えるようにして清掃性を向上することができる。
【００２９】
食品収納ケース１５は、図６に示すように、水平を示すＣ−Ｃ線の角度と、４５度以内の角度を示すＤ−Ｄ線の角度との範囲内で傾斜されるようになっている。このように傾斜角度を４５度以内に制限することにより、食品収納ケース１５に収納した食品が飛び出さないようにすることができる。
【００３０】
なお、揺動ダンパー１６の可動範囲を水平と下方４５度との範囲に制限するようにして、ストッパー１９を省略してもよい。揺動ダンパー１６が水平方向から下方方向にしか可動しないように制限することにより、食品を収納する際に食品収納ケース１５を水平方向よりも上に間違って持ち上げて冷蔵庫本体にぶつかり、食品や食品収納ケース１５が破損することを防止できる。
【００３１】
上述したように、本実施形態によれば、食品収納ケース１５は、前方に引き出した状態で、搖動ダンパー１６を介して前側が低くなるように回動可能に両側で支持されているので、信頼性が高く簡単な構成で収納スペースの減少を招くことなく、食品を取り出す作業や奥の部分の清掃を容易に行うことができる。
【００３２】
（第２実施形態）
次に、本発明の第２実施形態について図７を用いて説明する。図７は本発明の第２実施形態の冷蔵庫の一部を示す断面図である。この第２実施形態は、以下に述べる点で第１実施形態と相違するものであり、その他の点については第１実施形態と基本的には同一である。
【００３３】
この第２実施形態では、レール１７を数段に設け、食品収納ケース１５を各段のレール１７に載置することができるようにしたものである。そして、揺動ダンパー１６の可動範囲を水平と下方４５度との範囲に制限するようにして、ストッパー１９を省略している。この第２実施形態によれば、身長の高い人でも低い人でも使い易い高さに自在に設定できる。これにより貯蔵したものの使い忘れを防止し、腐らせることなく衛生に冷蔵庫を使用できる。また、手前の食品をどけることなく簡単に置くの物を取ることができる。また、汚れ易い底面が見やすくなり、届き易くなったことにより最上段の清掃性を向上することが出来る。
【００３４】
（第３実施形態）
次に、本発明の第３実施形態について図８を用いて説明する。図８は本発明の第３実施形態の冷蔵庫の一部を示す斜視図である。この第３実施形態は、以下に述べる点で第１実施形態と相違するものであり、その他の点については第１実施形態と基本的には同一である。
【００３５】
この第３実施形態では、レール１７の先端にガイド２２を有している。ガイド２２は、搖動ダンパー１６がレール１７の先端に達するまで食品収納ケース１５を水平に保つ役目を持つ。そして、搖動ダンパー１６がレール先端に達すると水平方向から下方方向に稼動するようになる。そして、レール１７は、第１のレール１７ａと第２のレール１７ｂからなり、伸縮可能な構造である。これにより引き出す量を使用者の任意に変えられ、引き出しの途中からでも傾斜が可能となる。即ち、例えば冷蔵庫の扉が壁や柱、家具等により１００％開放できない場合、引き出し量により食品収納ケース１５が扉にぶつかる場合が考えられるが、引き出しの途中からでも傾斜が可能となることにより、食品収納ケース１５が引き出しが扉にぶつかることなく使用できる。
【００３６】
（第４から第８実施形態）
次に、本発明の第４〜第８実施形態の冷蔵庫の食品収納ケースについて図９から図１４を用いて説明する。第４〜第８実施形態は、以下に述べる点で第１実施形態と相違するものであり、その他の点については第１実施形態と基本的には同一である。
【００３７】
（第４実施形態）
図９は本発明の第４実施形態の冷蔵庫における食品収納ケースの斜視図である。この第４実施形態では、食品収納ケース１５に前後方向に可動可能な仕切り１８を設けたものである。なお、仕切り１８は、前後方向のほか左右方向や前後と左右を交差させた仕切りでも良く、複数個でも良い。仕切り１８の位置が自由に変えられることにより、貯蔵物の整理整頓がし易く、傾斜した際に貯蔵物が倒れ液ダレ等による汚れの防止が出来ると共に、手前の食品をどけることなく奥の貯蔵物を簡単に取り出すことが出来る。
【００３８】
（第５実施形態）
図１０は本発明の第５実施形態の冷蔵庫における食品収納ケースの斜視図である。この第５実施形態では、食品収納ケース１５の内壁の全周に緩衝材２１を設けたものである。これにより、食品収納ケース１５の傾斜時に貯蔵物が滑り、食品収納ケース１５の内壁を形成する緩衝材２１にぶつかっても飲料等が割れたりして汚れことを防止できる。緩衝材２１の素材は食品安全性が高く、且つ柔らかい素材が好ましく、例えば、抗菌除菌性能に優れたアクリル系不織布や、ウレタン、発泡スチロール、また、潜熱がプラス温度域の蓄冷の役目もする潜熱蓄冷材が好ましい。
【００３９】
（第６実施形態）
図１１は本発明の第６実施形態の冷蔵庫における食品収納ケースの斜視図である。この第６実施形態では、食品収納ケース１５の底面に滑り止め２３を設けたものである。これにより、食品収納ケース１５を引き出すときに、貯蔵物が前後にずれ動いたり、食品収納ケース１５を傾斜する際に急激なずれ落ちたりすることにより、貯蔵物同士がぶつかって異音が発生したり破損したりすること、液垂れや飲料等割れにより汚れることを防止できる。滑り止め２３の素材は貯蔵物との摩擦抵抗力の大きいものが好ましく、例えばゴム等が良い。また、食品収納ケース１５の内側底面に凹凸やエンボスを成形で設けることでも同様の効果を得られる。
【００４０】
（第７実施形態）
図１２は本発明の第７実施形態の冷蔵庫における食品収納ケースの斜視図、図１３は図１２の食品収納ケースの傾斜させた状態の冷蔵庫の一部を示す断面図である。この第７実施形態では、図１２に示すように、食品収納ケース１５の底面を、傾斜したとき水平になるような傾斜部２４を設けたものである。これにより、図１３に示すように、食品収納ケース１５を傾斜させたとき、食品収納ケース１５の底面が水平になり、ビンや缶などの食品を垂直に立てた状態とすることができる。なお、傾斜部２４は取り外し可能であり、貯蔵物に応じて付け替えが出来、外して洗うことが出来、清潔に使用できる。
【００４１】
（第８実施形態）
図１４は本発明の第８実施形態の冷蔵庫における食品収納ケースの斜視図である。この第８実施形態では、冷蔵庫の内壁に接しない部分の食品収納ケース１５の側壁面の手前側を低くしたものである。これにより、食品収納ケース１５を引き出し、傾斜した状態で、冷蔵庫の内壁よりも前に出るため、横からでも貯蔵物の出し入れが可能となる。
【図面の簡単な説明】
【００４２】
【図１】本発明の一実施形態の冷蔵庫の正面図である。
【図２】図１のＡ−Ａ断面図である。
【図３】図２における食品収納ケースの動作を説明する図である。
【図４】図２の揺動ダンパー部の断面図である。
【図５】図４のＢ−Ｂ断面図である。
【図６】図３の食品収納ケースの回動範囲を説明する図である。
【図７】本発明の第２実施形態の冷蔵庫の一部を示す断面図である。
【図８】本発明の第３実施形態の冷蔵庫の一部を示す斜視図である。
【図９】本発明の第４実施形態の冷蔵庫における食品収納ケースの斜視図である。
【図１０】本発明の第５実施形態の冷蔵庫における食品収納ケースの斜視図である。
【図１１】本発明の第６実施形態の冷蔵庫における食品収納ケースの斜視図である。
【図１２】本発明の第７実施形態の冷蔵庫における食品収納ケースの斜視図である。
【図１３】図１２の食品収納ケースの傾斜させた状態の冷蔵庫の一部を示す断面図である。
【図１４】本発明の第８実施形態の冷蔵庫における食品収納ケースの斜視図である。
【符号の説明】
【００４３】
１…冷凍冷蔵庫本体、２…冷凍室、３…冷蔵室、４…野菜室、５…チルド室、６…冷却用熱交換器、７…ファン、８…温度調節用ダンパー、９…圧縮機、１０…除霜用管ヒータ、１１…ウレタン発泡断熱材、１２…うるおい保湿冷凍室、１３…引き出し容器、１４…蓋、１５…食品収納ケース、１６…揺動ダンパー、１６ａ…回動軸、１６ｂ…軸受体、１６ｂ１…軸受部、１６ｂ２…係合部、１７…レール、１８…最上段の棚、１９…ストッパー、２１…緩衝材、２２…ガイド、２３…滑り止め、２４…傾斜部。
【図１】
0004997171.tif 000002
【図２】
0004997171.tif 000003
【図３】
0004997171.tif 000004
【図４】
0004997171.tif 000005
【図５】
0004997171.tif 000006
【図６】
0004997171.tif 000007
【図７】
0004997171.tif 000008
【図８】
0004997171.tif 000009
【図９】
0004997171.tif 000010
【図１０】
0004997171.tif 000011
【図１１】
0004997171.tif 000012
【図１２】
0004997171.tif 000013
【図１３】
0004997171.tif 000014
【図１４】
0004997171.tif 000015